(57)【要約】【課題】クレセント錠の他に簡単な構造の補助ロックを取り付けることで侵入に手間がかかり、侵入盗被害の防止に効果的な引違いサッシの提供を目的とする。【解決手段】補助ロックを備え、外障子の召合框は、内障子召合框側が開口する受け溝を外障子召合框の長手方向にわたって有し、補助ロックは、デッドボルトと操作部材と弾性部材とを備え、デッドボルトは内障子召合框の煙り返し片とタイト材ホルダー部との間から外障子の召合框の受け溝内に出没自在となっており、弾性部材はデッドボルトが内障子召合框に没する方向にデッドボルト付勢するものであり、操作部材は内障子召合框の室内側面の見付け略中央に位置して、デッドボルトの出没を操作するものである。【選択図】  図１
2006104746.tif 000002
【特許請求の範囲】
【請求項１】
補助ロックを備え、
外障子の召合框は、パネル嵌合溝と、煙り返し片を備え、パネル嵌合溝と煙り返し片との間に内障子召合框側が開口する受け溝を外障子召合框の長手方向にわたって有し、
内障子の召合框は、パネル嵌合溝とパネル嵌合溝の室外側に煙り返し片を有し、外障子召合框の対向面であって外障子召合框のパネル嵌合溝側にはタイト材ホルダー部を備え、
補助ロックは、デッドボルトと操作部材と弾性部材とを備え、デッドボルトは内障子召合框の煙り返し片とタイト材ホルダー部との間から外障子の召合框の受け溝内に出没自在となっており、弾性部材はデッドボルトが内障子召合框に没する方向にデッドボルト付勢するものであり、操作部材は内障子召合框の室内側面の見付け略中央に位置して、デッドボルトの出没を操作するものであることを特徴とする引違いサッシ。
【請求項２】
内障子召合框の煙り返し片とタイト材ホルダー部との間に、デッドボルトの受け溝内への出没を許容する孔を有するデッドボルト補強部材を備えていることを特徴とする請求項１記載の引違いサッシ。
【請求項３】
操作部材は、室内側に突出する操作用突片とデッドボルト当接面を備え、室内外方向と直交する水平な軸で内障子召合框に軸着してあり、デッドボルト当接面は軸とデッドボルトとの距離が操作部材の回転とともに大きくなるよう湾曲形成してあり、操作用突片の出没操作に連動してデッドボルトを出没させるようにしたことを特徴とする請求項１又は請求項２記載の引違いサッシ。
【請求項４】
補助ロックは、ケースを備え、ケースは室内側に操作部材を軸着して回転自在に収納する操作部材取付部と、その室外側にデッドボルトの内外方向の移動を案内するガイド部を有し、弾性部材はガイド部内でデッドボルトがケース内に没する方向に付勢するものであることを特徴とする請求項１〜３のいずれかに記載の引違いサッシ。
【発明の詳細な説明】
【技術分野】
【０００１】
本発明は防犯用サッシに関し、特に補助ロック付の引違いサッシに係る。
【背景技術】
【０００２】
警察庁によると、住宅における侵入盗被害は増加の一途をたどり、発生件数は２００２年で前年比１７％増の約１８万件を数え、１０年前の１．５倍に増えている。
侵入の手口で最も多いのが窓からであり、侵入盗はサッシのガラスを破って解錠し、侵入している。
財団法人都市防犯研究センターのデータによれば、侵入者が嫌うのは侵入に時間がかかることであり、侵入に２〜５分かかると約７０％が犯行をあきらめるとの報告がある。
【０００３】
窓からの侵入を防ぐ手段として、ガラスを破れないようにした合わせガラスが提案されている。
しかし、防犯性は高いものの高価であり場合によってはサッシ本体よりも高く、市場における採用度は低い。
そこで、クレセント錠の他に補助ロックを取り付けたり、クレセント錠に代わるロック装置の提案もある。
例えば、クレセント錠の代わりに障子の閉鎖に伴って自動的に障子が施錠される技術を実開平７−３８５１０号公報に開示する。
この技術は、内障子の召合框から外障子側の召合框に突出する係止ロッドを備えるものである。
しかし、この技術は係止ロッドが常にロック方向にばね付勢されているので、障子を閉じればその都度ロックされるので、係止ロッドを室内側に抜き出しながらでないと障子を開けられないという問題がある。
【０００４】
【特許文献１】実開平７−３８５１０号公報
【発明の開示】
【発明が解決しようとする課題】
【０００５】
本発明は上記背景に鑑みて、クレセント錠の他に簡単な構造の補助ロックを取り付けることで侵入に手間がかかり、侵入盗被害の防止に効果的な引違いサッシの提供を目的とする。
特に、補助ロックそのものの存在を分かりにくくし、侵入に要する時間が大幅にかかることになり、侵入をあきらめさせるようにしたものである。
【課題を解決するための手段】
【０００６】
本発明に係る引違いサッシは、補助ロックを備え、外障子の召合框は、パネル嵌合溝と、煙り返し片を備え、パネル嵌合溝と煙り返し片との間に内障子召合框側が開口する受け溝を外障子召合框の長手方向にわたって有し、内障子の召合框は、パネル嵌合溝とパネル嵌合溝の室外側に煙り返し片を有し、外障子召合框の対向面であって外障子召合框のパネル嵌合溝側にはタイト材ホルダー部を備え、補助ロックは、デッドボルトと操作部材と弾性部材とを備え、デッドボルトは内障子召合框の煙り返し片とタイト材ホルダー部との間から外障子の召合框の受け溝内に出没自在となっており、弾性部材はデッドボルトが内障子召合框に没する方向にデッドボルト付勢するものであり、操作部材は内障子召合框の室内側面の見付け略中央に位置して、デッドボルトの出没を操作するものであることを特徴とする。
ここで、外障子の召合框に形成した受け溝は、補助ロックの施錠状態（ロック状態）でデッドボルトの先端部と係合する部分であり、押出形材等で製作すると、容易に外障子召合框の長手方向にわたって形成することができる。
また、操作部材は施錠状態でデッドボルトを弾性部材に対抗して受け溝側に突出させるものである。
【０００７】
この場合に、内障子召合框の煙り返し片とタイト材ホルダー部との間に、デッドボルトの受け溝内への出没を許容する孔を有するデッドボルト補強部材を備えるとよい。
屋外から室内に侵入しようとする者はガラス等のパネルを割り、クレセント錠を解錠すると、強い力で、障子を開けようとする。この際には補助ロックを取り付けた内障子の召合框とデッドボルトの間に大きな変形力が作用する。
従って、デッドボルトの先端を案内するデッドボルト補強部材を備えた方がより良いとの意味であり、必須の要件ではない。
【０００８】
また、操作部材は、室内側に突出する操作用突片とデッドボルト当接面を備え、室内外方向と直交する水平な軸で内障子召合框に軸着してあり、デッドボルト当接面は軸とデッドボルトとの距離が操作部材の回転とともに大きくなるよう湾曲形成してあり、操作用突片の出没操作に連動してデッドボルトを出没させるようにしてもよい。
ここで、デッドボルト当接面は軸とデッドボルトとの距離が操作部材の回転とともに大きくなるよう湾曲形成したとは、操作部材にカム機構を持たせる趣旨である。
【０００９】
更に、補助ロックは、ケースを備え、ケースは室内側に操作部材を軸着して回転自在に収納する操作部材取付部と、その室外側にデッドボルトの内外方向の移動を案内するガイド部を有し、弾性部材はガイド部内でデッドボルトがケース内に没する方向に付勢してもよい。
このように、ケース内にデッドボルト及び操作部材を組み込むと補助ロックがコンパクトになり、内障子の召合框に切り欠け部を形成し、容易に取り付けることができる。
【発明の効果】
【００１０】
本発明においては、デッドボルトが内障子召合框の煙り返し片とタイト材ホルダー部との間から外障子の召合框の受け溝内に出没自在となっているので、召合框の見込み幅を大きくすることなく、召合框が具備すべき構造をすべて備え、しかも操作部材を内障子召合框の見付け略中央に位置させることができるので、操作部材によってサッシの外観を損なうことがない。
また、操作部材は内障子召合框の室内側面の見付け略中央に位置して、デッドボルトの出没を操作するものであるので、室内側に突出する操作用突片を有する操作部材を採用しても、その位置を外部から確認することができず、防犯上有効である。
【００１１】
本発明において、補助ロックは、デッドボルトと操作部材と弾性部材とを備え、デッドボルトは内障子召合框の煙り返し片とタイト材ホルダー部との間から外障子の召合框の受け溝内に出没自在となっているので、クレセント周辺のガラスを切り取り外部からクレセント解錠し、障子を無理やり開けようとしても、補助ロックが破損することがない。
特に、デッドボルト補強部材を内障子の煙り返し片とタイト材ホルダー部に当接して取り付けた場合には、これらにデッドボルト補強部材が支持されるので補強効果が著しくなる。
【００１２】
また、内障子召合框側が開口する受け溝を外障子召合框の長手方向にわたって有しているので、内障子召合框のケース取付け用の切り欠き位置（高さ）を変更することで、補助ロックの取付位置を簡単に変更できるので、ロット毎に補助ロックの高さが異なるサッシを製造することが可能であり、侵入者に補助ロックの高さ位置を推測される心配がない。
【発明を実施するための最良の形態】
【００１３】
本発明に係る引違いサッシの例を図１に示し、図１（イ）が補助ロック施錠状態で、図１（ロ）が補助ロック解錠状態を示す。
躯体の開口部に縦枠１、２と図示を省略したが、上枠、下枠で枠体を形成し、その枠体内に外障子１０と内障子２０からなる引違い障子を装着している。
外障子１０は、戸当框１１と召合框１２及び図示を省略したが上框、下框で枠を形成し、その枠内にガラス等のパネル１３を装着している。
内障子２０も同様に、戸当框２１と召合框２２及び図示を省略したが上框、下框で枠を形成し、その枠内にガラス等のパネル２３を装着している。
【００１４】
戸当框側は、外枠（縦枠）との間にタイト材１ａ、２ａを介在させて気密性を確保している。
【００１５】
次に、召合せ部の構造を説明する。
図１に示すように、外障子１０の召合框１２は、パネル１３の一端を装着するパネル嵌合溝１２ｃと、煙り返し片１２ｂを備え、このパネル嵌合溝１２ｃと煙り返し片１２ｂの間に内障子召合框側が開口する受け溝１２ａを外障子の召合框１２の上下長手方向に沿って有している。
内障子２０の召合框２２は、パネル２３の一端を装着するパネル嵌合溝２２ｃとパネル嵌合溝の室外側に煙り返し片２２ｂを有し、外障子召合框の対向面であって外障子召合框のパネル嵌合溝１２ｃ側にはタイト材ホルダー部２２ａを設けてタイト材２２ｄを取り付けて召合せ部の気密性を確保している。
なお、このタイト材ホルダー部は召合わせ部における外障子の框と内障子の框の間の気密性を確保するためのタイト材を取り付けるのが目的であり、実施例のように内障子側に設けても良いが、外障子側に設けてもよく、あるいは両方に設けても良い。
同様に、タイト材ホルダー部と煙り返し片の配置関係も実施例に限定する必要はなく、デッドボルト４２の横にタイト材ホルダー部と煙り返し片を隣接しても良く、さらには召合框見込み面から煙り返し片を設けても良いが、補助ロック４０を召合わせ部の概ね見付け中央部に配設するには実施例のように、デッドボルト４２を内障子召合框の煙り返し片２２ｂとタイト材ホルダー部２２ａとの間から外障子の召合框の受け溝１２ａ内に出没自在となるように配設すると良い。
【００１６】
補助ロック４０の部品構成図を図２に示し、召合せ部補助ロック部の横断面を図３に、縦断面を図４にそれぞれ示す。
補助ロック４０は、デッドボルト４２と操作部材４１とコイルばね等の弾性部材４３を有し、これらを装着したケース４４を備え、補助ロックのケース４４内には、デッドボルト４２を弾性部材４３で室内側（ケース内に没する方向）にばね付勢しつつ、室内側から操作できるように操作部材４１をケース４４の取付部４４ａに取付ピン４６等で回動自在に軸着している。
また、ケース４４には、デッドボルトの内外方向の移動を案内するガイド部４４ｂを有し、デッドボルト４２の先端部４２ａを案内し、デッドボルトの係合を補強する補強部材４５を内障子召合框側に取り付けている。
この補強部材４５には、デッドボルトが挿通する孔４５ａを有し、ビス等の係止部材４５ｂで内障子召合框側に取り付けている。
【００１７】
操作部材４１は、補助ロックのケース内の室内側に室内外方向と直交する水平な軸で軸着してあるが、室内側に突出する操作用突片４１ａとデッドボルトを出没させるデッドボルト当接面４１ｂを有していて、デッドボルト当接面４１ｂは軸とデッドボルトとの距離が操作部材の回転とともに大きくなるよう湾曲形成してあり、図４に示すように、デッドボルト４２の室内外方向の中心線上より少しずれた位置に軸着して、カム機構を有するように取り付けている。
従って、図４の解錠状態では、デッドボルト４２が室内側にばね付勢されているので、ケースの側壁４４ｃに押し付けられるようにして操作部材を保持し、図４では操作用突片４１ａを下の方向に下げると操作部材のデッドボルト当接面４１ｂに押圧されるようにしてデッドボルトが押し込まれ、デッドボルトの先端４２ａが外障子召合框の受け溝１２ａ側に突出し、障子がロック状態になる。
【００１８】
なお、図４に示した例は解錠状態で操作用突片４１ａが室内側に突出し、施錠状態で操作用突片４１ａがケース４４内に収まるようになっていて、図５に示すように室内からＬＯＣＫ状態を示す表示をした例である。
このようにすると、補助ロックを施錠した状態が外部から判りにくくなり、ガラスを割ってクレセント錠を解錠しても何故、障子が開かないのか判らなくなり気が焦り侵入を諦めることが期待できる。
【００１９】
また、上記とは逆に、図８に示すように、解錠状態で操作部材１４１の操作用突片１４１ａがケース内に収まるようにし、施錠状態で操作用突片１４１ａが室内側に突出するようにしても良い。
このようにすると、室内に人がいて、障子を開放した状態、即ち補助ロックを解錠した状態では、操作用突片が室内側に飛び出すことはないので、サッシの美観を損なうことがないという効果がある。
従って、図４に示した方式と図８に示した方式は目的に応じて相互に選択使用するのが良い。
【００２０】
次に、本発明に係る補助ロックが各種サッシ仕様に適用できることを説明する。
図６に示すように、ガラス等のパネル１３、２３の厚みが厚く、それだけ、パネル嵌合溝の深さが必要となる場合に、補助ロックの操作部材を召合框見付け略中央に配置できない場合がある。
このような場合には、デッドボルト１４２のヘッドと先端をずらしたタイプを採用し、弾性部材１４３でバネ付勢すれば対応できる。
また、図７に示すように、パネル１３、２３が複層であり、召合框の室内外方向の厚みが厚い場合には、ケース２４４のデッドボルトガイド部２４４ｂを長くし、それに伴って、デッドボルト２４２も長くすることで対応できる。
従って、本発明に係る補助ロックは既存のほとんどのサッシ仕様に組み込むことができ、非常に安価に、防犯性を向上できる。
【図面の簡単な説明】
【００２１】
【図１】本発明に係る引違いサッシを示す。
【図２】補助ロックの構成部品を示す。
【図３】障子召合わせ部の補助ロック部横断面図を示す。
【図４】障子召合わせ部の補助ロック部縦断面図を示す。
【図５】補助ロックの室内側から見た図を示す。
【図６】補助ロックのデッドボルト中心が操作部材中心からずれている例を示す。
【図７】複層パネルサッシに補助ロックを適用した場合の例を示す。
【図８】施錠状態で操作用突片が室内側に突出している場合の例を示す。
【符号の説明】
【００２２】
１      外枠（縦枠）
２      外枠（縦枠）
１０    外障子
１１    外障子の戸当框
１２    外障子の召合框
１２ａ  受け溝
１２ｂ  外障子の煙り返し片
１２ｃ  外障子のパネル嵌合溝
１３    外障子のパネル
２０    内障子
２１    内障子の戸当框
２２    内障子の召合框
２２ａ  タイト材ホルダー部
２２ｂ  内障子の煙り返し片
２２ｃ  内障子のパネル嵌合溝
２３    内障子のパネル
３０    クレセント錠
４０    補助ロック
４１    操作部材
４１ａ  操作用突片
４１ｂ  デッドボルト当接面
４２    デッドボルト
４２ａ  デッドボルトのヘッド
４２ｂ  デッドボルトの先端部
４３    弾性部材
４４    ケース
４４ａ  操作部材取付部
４４ｂ  ガイド部
４５    補強部材
４６    取付ピン
【図１】
2006104746.tif 000003
【図２】
2006104746.tif 000004
【図３】
2006104746.tif 000005
【図４】
2006104746.tif 000006
【図５】
2006104746.tif 000007
【図６】
2006104746.tif 000008
【図７】
2006104746.tif 000009
【図８】
2006104746.tif 000010